(57)【特許請求の範囲】
【請求項１】
１枚のフレキシブルなフィルムから構成された軟包装材であって、
このフレキシブルフィルムが、折り曲げ線で折り曲げられて、その一方のフィルムが、平面視で十字形の形状を有しており、中央領域と、この中央領域の左右に設けられた左領域及び右領域と、中央領域の下側に設けられた下領域と、中央領域の上側に設けられた上領域とで構成され、
折り曲げ線で折り曲げられた他方のフィルムが、中央領域、左領域、右領域及び下領域において前記一方のフィルムに重ね合わされていると共に、これら重ね合わされた２枚のフィルムが、左領域の端部及び右領域の端部において、接合線により互いに固定されて収納部を構成しており、
左領域において、重ね合わされた両フィルムにコの字状若しくはＵ字状の切れ目又は貫通孔が設けられており、
上領域に封止用接着層が設けられていることを特徴とする軟包装材。
【請求項２】
２枚のフレキシブルなフィルムから構成された軟包装材であって、
これら２枚のフィルムのうち一方のフィルムが、平面視で十字形の形状を有しており、中央領域と、この中央領域の左右に設けられた左領域及び右領域と、中央領域の下側に設けられた下領域と、中央領域の上側に設けられた上領域とで構成され、
他方のフィルムが、中央領域、左領域、右領域及び下領域において前記一方のフィルムに重ね合わされていると共に、これら重ね合わされた２枚のフィルムが、左領域の端部、右領域の端部及び下領域の端部において、接合線により互いに固定されて収納部を構成しており、
左領域において、２枚の前記フィルムにコの字状若しくはＵ字状の切れ目又は貫通孔が設けられており、
上領域に封止用接着層が設けられていることを特徴とする軟包装材。
【請求項３】
前記他方のフィルムの上端が、左領域及び右領域の上端に達しない位置にあることを特徴とする請求項１又は２に記載の軟包装材。
【請求項４】
封止用接着層が、剥離容易で再接着可能な感圧接着剤から成ることを特徴とする請求項１〜３のいずれかに記載の軟包装材。
【請求項５】
１枚のフレキシブルフィルムから軟包装材を製造する方法であり、
このフィルムに封止用接着層を設ける工程と、このフィルムを折り曲げ線で折り曲げて、封止用接着層が設けられた一方のフィルムの一部に、封止用接着層に重ならないように、他方のフィルムを重ね合わせる工程と、重ね合わされたフィルムを、両側端の接合線で互いに固定する工程と、互いに固定されたフィルムを打ち抜く工程とから成り、
その打ち抜き形状が次の（１）〜（４）を充足する形状であることを特徴とする軟包装材の製造方法。
（１）一方のフィルムが、平面視で十字形の形状を有しており、中央領域と、この中央領域の左右に設けられた左領域及び右領域と、中央領域の下側に設けられた下領域と、中央領域の上側に設けられた上領域とで構成されている。
（２）折り曲げ線で折り曲げられた他方のフィルムが、中央領域、左領域、右領域及び下領域において一方のフィルムに重ね合わされていると共に、これら重ね合わされた２枚のフィルムが、左領域の端部及び右領域の端部において、前記接合線により互いに固定されて収納部を構成している。
（３）左領域において、重ね合わされた両フィルムにコの字状若しくはＵ字状の切れ目又は貫通孔が設けられている。
（４）上領域に封止用接着層が設けられている。
【請求項６】
２枚のフレキシブルフィルムから軟包装材を製造する方法であり、
この２枚のフレキシブルフィルムのうち、その一方のフィルムに封止用接着層を設ける工程と、この一方のフィルムの一部に、封止用接着層に重ならないように、他方のフィルムを重ね合わせる工程と、この重ね合わされたフィルムを、両側端及び下端の接合線で互いに固定する工程と、互いに固定されたフィルムを打ち抜く工程とから成り、
その打ち抜き形状が次の（１）〜（４）を充足する形状であることを特徴とする軟包装材の製造方法。
（１）一方のフィルムが、平面視で十字形の形状を有しており、中央領域と、この中央領域の左右に設けられた左領域及び右領域と、中央領域の下側に設けられた下領域と、中央領域の上側に設けられた上領域とで構成されている。
（２）他方のフィルムが、中央領域、左領域、右領域及び下領域において一方のフィルムに重ね合わされていると共に、これら重ね合わされた２枚のフィルムが、左領域の端部、右領域の端部及び下領域の端部において、接合線により互いに固定されて収納部を構成している。
（３）左領域において、重ね合わされた両フィルムにコの字状若しくはＵ字状の切れ目又は貫通孔が設けられている。
（４）上領域に封止用接着層が設けられている。
【請求項７】
前記請求項１〜４に記載の軟包装材の収納部に内容物が収納されており、
前記一方のフィルムの上領域で開口部を覆い、かつ、前記封止用接着層により上領域を中央領域に接着して封止していることを特徴とする包装体。
【発明の詳細な説明】
【技術分野】
【０００１】
本発明は、フレキシブルなフィルムで構成された軟包装材とその製造方法及びこの軟包装材を使用した包装体に関する。
【０００２】
この軟包装材は、大型の商品を購入した消費者が持ち帰る際に、この大型商品を収納するのに適している。例えば、多数の紙おむつを収容した紙おむつパックを、２つ以上購入して持ち帰る場合である。
【背景技術】
【０００３】
紙おむつは消費財であり、その使用量も多いことから、多数を集積して紙おむつパックとして販売されていることが通常である。また、同じ理由から、この紙おむつパックを複数購入する消費者も多い。
【０００４】
ところで、この紙おむつパックはその大きさが大きく、しかも重量のあるものであることから、複数の紙おむつパックを購入した消費者がそのまま持ち帰るのは容易ではない。そこで、これら複数の紙おむつパックを纏めて運ぶために、種々の工夫がなされている。
【０００５】
例えば、これら複数の紙おむつパックを段ボール箱に詰めて、この段ボールごと持ち帰ることがある。しかし、段ボール箱には手を掛ける把手がないことが通常であるから、依然として持ち運びに不便があった。
【０００６】
また、複数の紙おむつパックにスリーブ状の外装体を巻き付けたり、この外装体にさらに把手を取り付けて持ち運ぶことも行われているが、紙おむつパックがスリーブ状の外装体から抜け落ちたり、外装体自体が破れたりすることがあった。また、これに把手を取り付けた場合には、この把手の装着部位から外装体が裂けることもあった。
【０００７】
また、専用のバッグを使用していることもあるが、このような専用バッグは製造コストが高く、このため、普及していない。
【発明の概要】
【発明が解決しようとする課題】
【０００８】
そこで、本発明は、安価な包装材であって、複数の紙おむつパックなど、大型の商品を収納して持ち運び易い包装材を提供することを目的とする。
【課題を解決するための手段】
【０００９】
請求項１に記載の発明は、１枚のフレキシブルなフィルムを折り曲げ線で折り曲げて構成した軟包装材に関するものである。
【００１０】
すなわち、請求項１に記載の発明は、１枚のフレキシブルなフィルムから構成された包装材であって、
このフレキシブルフィルムが、折り曲げ線で折り曲げられて、その一方のフィルムが、平面視で十字形の形状を有しており、中央領域と、この中央領域の左右に設けられた左領域及び右領域と、中央領域の下側に設けられた下領域と、中央領域の上側に設けられた上領域とで構成され、
折り曲げ線で折り曲げられた他方のフィルムが、中央領域、左領域、右領域及び下領域において前記一方のフィルムに重ね合わされていると共に、これら重ね合わされた２枚のフィルムが、左領域の端部及び右領域の端部において、接合線により互いに固定されて収
納部を構成しており、
左領域において、重ね合わされた両フィルムにコの字状若しくはＵ字状の切れ目又は貫通孔が設けられており、
上領域に封止用接着層が設けられていることを特徴とする軟包装材である。
【００１１】
また、請求項２に記載の発明は、２枚のフレキシブルなフィルムで構成した軟包装材に関するものである。
【００１２】
すなわち、請求項２に記載の発明は、２枚のフレキシブルなフィルムから構成された包装材であって、
これら２枚のフィルムのうち一方のフィルムが、平面視で十字形の形状を有しており、中央領域と、この中央領域の左右に設けられた左領域及び右領域と、中央領域の下側に設けられた下領域と、中央領域の上側に設けられた上領域とで構成され、
他方のフィルムが、中央領域、左領域、右領域及び下領域において前記一方のフィルムに重ね合わされていると共に、これら重ね合わされた２枚のフィルムが、左領域の端部、右領域の端部及び下領域の端部において、接合線により互いに固定されて収納部を構成しており、
左領域において、２枚の前記フィルムにコの字状若しくはＵ字状の切れ目又は貫通孔が設けられており、
上領域に封止用接着層が設けられていることを特徴とする軟包装材である。
【００１３】
請求項１又は２に記載の軟包装材を使用して複数の紙おむつパックを持ち運ぶ際には、まず２枚のフィルムを開いて収納部を開き、収納部の開口部から収納部に複数の紙おむつパックを収納する。このとき、紙おむつパックは、開口部を除き、軟包装材の中央領域、下領域、左領域及び右領域に囲まれる。
【００１４】
次に、その開口部に前記上領域を重ね、封止用接着層によって中央領域に接着することにより、複数の紙おむつパックをこの軟包装材の収納部に固定することができる。
【００１５】
こうして収納部に複数の紙おむつパックを固定して構成された包装体は、これを縦に立てることにより、切れ目を把手として持ち運ぶことができる。このとき、中の複数の紙おむつパックは、中央領域、左領域、右領域、下領域及び上領域によって収納部に固定されているから、この軟包装材から抜け落ちる心配がない。なお、切れ目に代えて貫通孔が設けられている軟包装材にあっては、この貫通孔を利用して把手とすることができる。
【００１６】
また、紙おむつパックに把手が設けられている場合には、この紙おむつパックの把手を前記切れ目や貫通孔から引き出して使用してもよい。
【００１７】
次に、請求項３に記載の発明は、これら軟包装材の製造工程を考慮してなされたものである。すなわち、一方のフィルムの端部と、左領域及び右領域の上端とを精度良く位置合わせすることは困難であることから、これらを互いにずれた位置としたもので、すなわち、他方のフィルムの上端が、左領域及び右領域の上端に達しない位置にあることを特徴とする請求項１又は２に記載の軟包装材である。
【００１８】
また、請求項４に記載の発明は、収納された紙おむつパックを取り出す際の便宜を考慮したものである。すなわち、請求項４に記載の発明は、封止用接着層が、剥離容易で再接着可能な感圧接着剤から成ることを特徴とする請求項１〜３のいずれかに記載の軟包装材である。
【００１９】
次に、請求項５〜６に記載の発明は、請求項１〜２に記載の軟包装材を製造する方法に
関するものである。
【００２０】
すなたち、請求項５に記載の発明は、１枚のフレキシブルフィルムから軟包装材を製造する方法であり、
このフィルムに封止用接着層を設ける工程と、このフィルムを折り曲げ線で折り曲げて、封止用接着層が設けられた一方のフィルムの一部に、封止用接着層に重ならないように、他方のフィルムを重ね合わせる工程と、重ね合わされたフィルムを、両側端の接合線で互いに固定する工程と、互いに固定されたフィルムを打ち抜く工程とから成り、
その打ち抜き形状が次の（１）〜（４）を充足する形状であることを特徴とする軟包装材の製造方法である。
【００２１】
（１）一方のフィルムが、平面視で十字形の形状を有しており、中央領域と、この中央領域の左右に設けられた左領域及び右領域と、中央領域の下側に設けられた下領域と、中央領域の上側に設けられた上領域とで構成されている。
【００２２】
（２）折り曲げ線で折り曲げられた他方のフィルムが、中央領域、左領域、右領域及び下領域において一方のフィルムに重ね合わされていると共に、これら重ね合わされた２枚のフィルムが、左領域の端部及び右領域の端部において、前記接合線により互いに固定されて収納部を構成している。
【００２３】
（３）左領域において、重ね合わされた両フィルムにコの字状若しくはＵ字状の切れ目又は貫通孔が設けられている。
【００２４】
（４）上領域に封止用接着層が設けられている。
【００２５】
また、請求項６に記載の発明は、２枚のフレキシブルフィルムから軟包装材を製造する方法であり、
この２枚のフレキシブルフィルムのうち、その一方のフィルムに封止用接着層を設ける工程と、この一方のフィルムの一部に、封止用接着層に重ならないように、他方のフィルムを重ね合わせる工程と、この重ね合わされたフィルムを、両側端及び下端の接合線で互いに固定する工程と、互いに固定されたフィルムを打ち抜く工程とから成り、
その打ち抜き形状が次の（１）〜（４）を充足する形状であることを特徴とする軟包装材の製造方法である。
【００２６】
（１）一方のフィルムが、平面視で十字形の形状を有しており、中央領域と、この中央領域の左右に設けられた左領域及び右領域と、中央領域の下側に設けられた下領域と、中央領域の上側に設けられた上領域とで構成されている。
【００２７】
（２）他方のフィルムが、中央領域、左領域、右領域及び下領域において一方のフィルムに重ね合わされていると共に、これら重ね合わされた２枚のフィルムが、左領域の端部、右領域の端部及び下領域の端部において、接合線により互いに固定されて収納部を構成している。
【００２８】
（３）左領域において、重ね合わされた両フィルムにコの字状若しくはＵ字状の切れ目又は貫通孔が設けられている。
【００２９】
（４）上領域に封止用接着層が設けられている。
【００３０】
また、請求項７に記載の発明は、請求項１〜４に記載の軟包装材を使用して内容物を包装した包装体に関するもので、請求項１〜４に記載の軟包装材の収納部に内容物が収納さ
れており、
一方のフィルムの上領域で開口部を覆い、かつ、前記封止用接着層により上領域を中央領域に接着して封止していることを特徴とする包装体である。
【発明の効果】
【００３１】
本発明によれば、複数の紙おむつパックなどの大型の商品を収納して、その周囲を包囲して固定するから、これら商品が抜け落ちることがない。また、把手を利用して持ち運ぶことができるから、持ち運びも容易である。そして、フレキシブルなフィルムから構成されているから、その製造コストも極めて安価である。
【００３２】
なお、これに加えて、本発明の軟包装材は、フレキシブルなフィルムから構成されているから、小さくたたむことが可能であり、廃棄も容易であるなどの利点を有している。
【図面の簡単な説明】
【００３３】
【図１】本発明の実施例に係る軟包装材の製造過程における中間製品を示す平面図
【図２】本発明の実施例に係る軟包装材の製造過程における中間製品を示す平面図
【図３】本発明の実施例に係る軟包装材を示す平面図
【図４】本発明に係る切込みを示す平面図
【図５】本発明の別の実施例に係る軟包装材を示す平面図
【図６】本発明の実施例に係る軟包装材の使用方法を説明するための説明用斜視図
【図７】本発明の実施例に係る軟包装材の使用方法を説明するための説明用斜視図
【図８】本発明の実施例に係る軟包装材の使用方法を説明するための説明用斜視図
【図９】本発明の実施例に係る軟包装材の使用方法を説明するための説明用斜視図
【図１０】本発明の実施例に係る軟包装材の使用状態を説明するための説明用斜視図
【発明を実施するための形態】
【００３４】
説明の便宜のため、本発明の実施例に係る軟包装材を、製造工程を追って説明する。この実施例は、１枚のフレキシブルフィルム１から構成された軟包装材である。
【００３５】
すなわち、まず第１工程として、図１に示すように、ロール状のフレキシブルフィルム１を巻き出して走行させながら、その側端部近傍に接着剤を塗布して線状の封止用接着層２を形成する。この線状の封止用接着層２は、後述するように、内容物を収納した後、開口部を封止して内容物を固定する際に使用するものである。
【００３６】
次に、第２工程として、図２に示すように、前記線状封止用接着層２と略平行の折り曲げ線ｂから折り曲げて、線状封止用接着層２が設けられた一方のフィルムの一部に他方のフィルムを重ね合わせ、折り曲げ線ｂに垂直な方向のシール線ｃでシールする。このとき、前記他方のフィルム１の端部ａが前記接着層２に達しない位置に折り重なるように折り曲げ線ｂを選択する。
【００３７】
そして、第３工程として、図３に示すように、このフィルムを所定の位置で打ち抜くことにより、本発明に係る軟包装材を製造することができる。
【００３８】
打ち抜く位置の一部はフィルムの四隅である。四隅を打ち抜くことで、得られる軟包装材は、平面視十字形に加工できる。すなわち、この包装材のうち、封止用接着層２が設けられた前記一方のフィルムは、平面視十字形の形状を有しており、すなわち、中央領域１０の左右に左領域１３と右領域１２とを有しており、中央領域１０の下に下領域１１、中央領域１０の上に上領域１４を有している。
【００３９】
そして、他方のフィルムが、中央領域１０、左領域１３、右領域１２及び下領域１１に
おいて前記一方のフィルムに重ね合わされており、これら一方のフィルムと他方のフィルムとは、左領域１３の端部及び右領域１２の端部において、シール線ｃにより互いに固定されて、これら中央領域１０、左領域１３、右領域１２及び下領域１１で内容物の収納部を構成している。
【００４０】
より詳しく説明すれば、中央領域１０は一方のフィルムと他方のフィルムとが重ねられた領域であり、これら２枚のフィルムは中央領域１０においては互いに接着されていない。左領域１３においても、これら一方のフィルムと他方のフィルムとが重ねられている。そして、この左領域１３においては、中央領域１０の反対側の端部、すなわち、図示左側端部のシール線ｃで２枚のフィルムが互いに固定されている。また、右領域１２においても、２枚のフィルムが重ねられている。この右領域１２において、中央領域１０の反対側の端部、すなわち、図示右側端部のシール線ｃで２枚のフィルムが互いに固定されている。
【００４１】
また、下領域１１でも一方のフィルムと他方のフィルムとが重ねられている。そして、この下領域１１において、中央領域１０の反対側の端部、すなわち、図示下側の端部は折り曲げ線ｂである。この下領域１１の端部においては、この折り曲げ線ｂによってこれらのフィルムが互いに固定されている。
【００４２】
次に、上領域１４は前記一方のフィルムから構成されており、その端部近傍に線状の接着層２が設けられている。
【００４３】
なお、四隅を打ち抜く際には、フィルム１の端部ａと同一位置で打ち抜いてもよいが、位置精度のばらつきを考慮して、この端部ａに達しない位置で打ち抜くことが望ましい。図３はこのような軟包装材を示している。すなわち、図示のｄが打ち抜き線であり、この打ち抜き線ｄから打ち抜いた後にも、端部ａが残存している。
【００４４】
次に、打ち抜く位置の他の部分は、左領域１３の内部である。この領域１３の内部を打ち抜くことにより、フィルム１に切れ目３を形成することができる。左領域１３には２枚のフィルムが重ねられているから、この２枚のフィルムの両方を打ち抜いて、互いに対応する位置に切れ目３を形成することができる。この切れ目３は、軟包装材の使用時に把手を構成するものである。また、収納する内容物が把手を備えている場合には、内容物の把手を切れ目３から引き出して使用することもできる。
【００４５】
この切れ目３は、図３に示すように、コの字形状を有することが望ましい。また、Ｕ字形状であってもよい。図４（ａ）及び（ｂ）はこのような切れ目の形状の例を示すものである。
【００４６】
また、切れ目３に代えて、貫通孔３’とすることもできる。図５は、互いに重ねられた前記一方のフィルムと他方のフィルムの双方を打抜いて貫通孔３’を設けた軟包装材の例である。
【００４７】
以上、１枚のフレキシブルフィルム１から構成された軟包装材の製造方法と、製造された軟包装材について説明したが、２枚のフレキシブルフィルムを使用して軟包装材を製造することも可能である。
【００４８】
この場合には、まず第１工程として、これら２枚のフレキシブルフィルムのうち、その一方のフィルムの側端部近傍に接着剤を塗布して線状の封止用接着層２を形成する。次に、第２工程として、線状封止用接着層２が設けられた一方のフィルムの一部に他方のフィルムを重ね合わせ、シール線でシールする。このシール線の位置は、左領域１３の端部及
び右領域１２の端部に加えて、下領域の端部である。
【００４９】
そして、第３工程として、このフィルムを所定の位置で打ち抜くことにより、本発明に係る軟包装材を製造することができる。打ち抜く位置は、１枚のフレキシブルフィルムから製造する場合と同様である。
【００５０】
次に、図６〜１０を参照してこの軟包装材の使用方法を説明する。
【００５１】
すなわち、図６に示すように、互いに重ねられた２枚のフィルムを開くことにより、内容物の収納部Ａを開くことができる。この収納部Ａは矩形状を有しており、その底面は下領域１１で構成される。また、その周囲は、中央領域１０、左領域１３、右領域１２で包囲されている。前述のように、中央領域１０は２枚のフィルム１が重ねられた領域であるから、図示の例では、この２枚のフィルムが収納部の前側と後側に位置している。また、収納部の左右には、左領域１３と右領域１２が位置している。なお、下領域１１と左領域１３との間、下領域１１と右領域１２との間は、打ち抜かれた四隅の一部であって、隙間が開いている。
【００５２】
次に、図７は、上領域１４を下側にした状態を示している。そして、この状態で、図８に示すように、おむつパックなどの内容物Ｂを開口部から収納部Ａに挿入して収納する。おむつパックなどの内容物Ｂは複数個積み重ねた状態で収納することができる。また、この例では、おむつパックＢは把手Ｂ１を備えており、収納したときにこの把手Ｂ１が切れ目３又は貫通孔３’に対向する向きで挿入する。なお、図８において、矢印ｘは挿入方向を示している。
【００５３】
内容物を収納した後、上領域１４で開口部を覆い、その接着層２を利用して中央領域１０に接着することにより、内容物を収納部に固定することができる（図９）。前述のとおりこの収納部には隙間が設けられており、従って密封されているわけではないが、内容物はその全周囲を包装材の各領域で囲まれているから、抜け落ちることがない。なお、内容物としては、隙間から抜け落ちることのない大型の商品であれば任意のものであってよいが、その代表例として紙おむつパックを例示することができる。収納部の広さに応じて、２又はそれ以上の紙おむつパックを収納することが可能である。なお、内容物に把手Ｂ１が設けられているときには、図１０に示すように、この把手Ｂ１を切れ目３又は貫通孔３’を通して外側に露出させて使用することができる。内容物に把手Ｂ１が設けられていない場合には、切れ目３又は貫通孔３’に手指を通すことにより、これらの間のフィルムを把手部とすることができる。また、切れ目３がコの字形状又はＵ字形状を有する場合には、この切れ目３からめくったフィルムを把手部や内容物の把手Ｂ１に巻き付けて使用することもできる。
【００５４】
そして、内容物を収納して形成された包装体は、これを立てることにより、切れ目３又は貫通孔３’を把手として利用することができる（図１０参照）。立てた状態においても、内容物は各領域によって固定されているから、抜け落ちることがない。
【００５５】
次に、フィルム１としては、フレキシブルで、内容物の重量に耐える強度を有するフィルムであれば、任意のフィルムが使用できる。例えば、ポリエチレン、ポリプロピレン、ポリエステル、ポリ塩化ビニル等の合成樹脂フィルムである。また、これら合成樹脂フィルムを積層した積層体をフィルム１として利用することもできる。例えば、ポリエチレンフィルムの両側にポリプロピレンフィルムを積層したサンドイッチ構造の積層フィルムである。
【００５６】
また、接着層２に使用できる接着剤としては、剥離容易で再接着可能な感圧接着剤が好
ましく使用できる。例えば、アクリル樹脂エマルジョンタイプの再接着可能な感圧接着剤である。なお、この接着層２として、両面接着テープをフィルム１に貼り付けて、その露出した接着層を利用することも可能である。
【００５７】
また、再接着できない接着剤を利用することも可能である。例えば、中央領域１０に接着した後、経時的に硬化する粘着剤である。この場合には、上領域１４の一部に切り取り線を設けて、この切り取り線から開封可能とすることが望ましい。切り取り線としては、例えば、フィルム１を貫通するミシン目やカットテープが例示できる。
【符号の説明】
【００５８】
１      フレキシブルフィルム
１０；中央領域  １１；下領域  １２；右領域  １３；左領域  １４；上領域  ２；接着層  ３；切れ目  ３’；貫通孔
ａ；フィルム１の端部  ｂ；折り曲げ線  ｃ；シール線  ｄ；打ち抜き線
Ａ；収納部
Ｂ；内容物  Ｂ１；内容物の把手
【図１】
0005445308.tif 000002
【図２】
0005445308.tif 000003
【図３】
0005445308.tif 000004
【図４】
0005445308.tif 000005
【図５】
0005445308.tif 000006
【図６】
0005445308.tif 000007
【図７】
0005445308.tif 000008
【図８】
0005445308.tif 000009
【図９】
0005445308.tif 000010
【図１０】
0005445308.tif 000011